(57)【要約】      （修正有）【課題】外壁化粧パネルを取付けることにより、照明することができるようにして、設置コストの低減を図るとともに、建物全体をきらびやかにする。【解決手段】内部に貫通する中空室５が形成された外壁化粧パネル本体１と、中空室５に貫通するように形成された中央、両側部寄りの照明灯収納凹部７，８と、この中央照明灯収納凹部７にコード９の両端部が外壁化粧パネル本体１の両側部よりコード９が突出する中央照明灯１０と、両側部寄りの照明灯収納凹部８にそれぞれ取付けられコード９の両端部がそれぞれの両端部側の外壁化粧パネル本体１の両側部より突出する両側部寄りの照明灯１３と、この両側部寄りの照明灯１３の一方側のコード９の先端部と中央照明灯１０のコード９の両端の先端部とを接続し、他方側の両側部寄りの照明灯１３の他方側のコード９の先端部に接続されたオスコネクタ１４とメスコネクタ１５とで外壁化粧パネル１を構成する。【選択図】  図１
2008163567.tif 000002
【特許請求の範囲】
【請求項１】
内部に貫通する中空室が少なくとも1個以上形成された外壁化粧パネル本体と、この外壁化粧パネル本体の中央部および両側部寄りの部位で、前記中空室に貫通するように形成された中央、両側部寄りの照明灯収納凹部と、この中央照明灯収納凹部に防水可能に取付けられたコードの両端部が前記外壁化粧パネル本体の両側部よりコードが突出するＬＥＤあるいはＲＢＧ−ＬＥＤを用いた中央照明灯と、前記両側部寄りの照明灯収納凹部にそれぞれ防水可能に取付けられ、コードの両端部がそれぞれの両端部側の前記外壁化粧パネル本体の両側部より突出するＬＥＤあるいはＲＢＧ−ＬＥＤを用いた両側部寄りの照明灯と、この両側部寄りの照明灯の一方側のコードの先端部と前記中央照明灯のコードの両端の先端部とを接続し、他方側の両側部寄りの照明灯の他方側のコードの先端部に接続されたオスコネクタとメスコネクタとからなることを特徴とする外壁化粧パネル。
【請求項２】
内部に貫通する中空室が並列状態で複数個形成された外壁化粧パネル本体と、この外壁化粧パネル本体の中央部と両端部間の中央部および両側部寄りの部位で、前記中空室に貫通するように形成された２列の中央、両側部寄りの照明灯収納凹部と、この中央照明灯収納凹部に防水可能に取付けられたコードの両端部が前記外壁化粧パネル本体の両側部よりそれぞれ突出するＬＥＤあるいはＲＢＧ−ＬＥＤを用いた2個の中央照明灯と、前記両側部寄りの照明灯収納凹部にそれぞれ防水可能に取付けられ、コードの両端部がそれぞれ前記外壁化粧パネル本体の両側部より突出するＬＥＤあるいはＲＢＧ−ＬＥＤを用いた４個の両側部寄りの照明灯と、この４個の両側部寄りの照明灯の一方側の４個のコードの先端部と前記中央照明灯の両端部の４個のコードの先端部とを接続し、両側部寄りの照明灯の他方側のコードの先端部に接続された２個のオスコネクタとメスコネクタとからなることを特徴とする外壁化粧パネル。
【発明の詳細な説明】
【技術分野】
【０００１】
本発明は建物の外部躯体に取付けられる、照明が可能な外壁化粧パネルに関する。
【背景技術】
【０００２】
従来、パチンコ店等の建物の正面は外壁化粧パネル上を電飾で飾っているが、側面は外壁化粧パネルが取付けられているだけである。
【０００３】
このため、より効果的にパチンコ店の存在を知らしめることができないとともに、建物全体をきらびやかにしようとすると、電飾を幅広く設置しなければならず、コスト高になるという欠点があった。
【特許文献１】特になし
【発明の開示】
【発明が解決しようとする課題】
【０００４】
本発明は以上のような従来の欠点に鑑み、建物の外部躯体を覆う外壁化粧パネルを取付けることにより、照明することができるようにして、設置コストの低減を図るとともに、建物全体をきらびやかにすることが可能な外壁化粧パネルを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は内部に貫通する中空室が少なくとも1個以上形成された外壁化粧パネル本体と、この外壁化粧パネル本体の中央部および両側部寄りの部位で、前記中空室に貫通するように形成された中央、両側部寄りの照明灯収納凹部と、この中央照明灯収納凹部に防水可能に取付けられたコードの両端部が前記外壁化粧パネル本体の両側部よりコードが突出するＬＥＤあるいはＲＢＧ−ＬＥＤを用いた中央照明灯と、前記両側部寄りの照明灯収納凹部にそれぞれ防水可能に取付けられ、コードの両端部がそれぞれの両端部側の前記外壁化粧パネル本体の両側部より突出するＬＥＤあるいはＲＢＧ−ＬＥＤを用いた両側部寄りの照明灯と、この両側部寄りの照明灯の一方側のコードの先端部と前記中央照明灯のコードの両端の先端部とを接続し、他方側の両側部寄りの照明灯の他方側のコードの先端部に接続されたオスコネクタとメスコネクタとで外壁化粧パネルを構成している。
【０００７】
本発明は内部に貫通する中空室が並列状態で複数個形成された外壁化粧パネル本体と、この外壁化粧パネル本体の中央部と両端部間の中央部および両側部寄りの部位で、前記中空室に貫通するように形成された２列の中央、両側部寄りの照明灯収納凹部と、この中央照明灯収納凹部に防水可能に取付けられたコードの両端部が前記外壁化粧パネル本体の両側部よりそれぞれ突出するＬＥＤあるいはＲＢＧ−ＬＥＤを用いた2個の中央照明灯と、前記両側部寄りの照明灯収納凹部にそれぞれ防水可能に取付けられ、コードの両端部がそれぞれ前記外壁化粧パネル本体の両側部より突出するＬＥＤあるいはＲＢＧ−ＬＥＤを用いた４個の両側部寄りの照明灯と、この４個の両側部寄りの照明灯の一方側の４個のコードの先端部と前記中央照明灯の両端部の４個のコードの先端部とを接続し、両側部寄りの照明灯の他方側のコードの先端部に接続された２個のオスコネクタとメスコネクタとで外壁化粧パネルを構成している。
【発明の効果】
【０００８】
以上の説明から明らかなように、本発明にあっては次に列挙する効果が得られる。
【０００９】
（１）内部に貫通する中空室が少なくとも1個以上形成された外壁化粧パネル本体と、この外壁化粧パネル本体の中央部および両側部寄りの部位で、前記中空室に貫通するように形成された中央、両側部寄りの照明灯収納凹部と、この中央照明灯収納凹部に防水可能に取付けられたコードの両端部が前記外壁化粧パネル本体の両側部よりコードが突出するＬＥＤあるいはＲＢＧ−ＬＥＤを用いた中央照明灯と、前記両側部寄りの照明灯収納凹部にそれぞれ防水可能に取付けられ、コードの両端部がそれぞれの両端部側の前記外壁化粧パネル本体の両側部より突出するＬＥＤあるいはＲＢＧ−ＬＥＤを用いた両側部寄りの照明灯と、この両側部寄りの照明灯の一方側のコードの先端部と前記中央照明灯のコードの両端の先端部とを接続し、他方側の両側部寄りの照明灯の他方側のコードの先端部に接続されたオスコネクタとメスコネクタとで構成されているので、建物の外部躯体に従来と同様に外壁化粧パネルを上下左右方向に取付けることができるとともに、外壁化粧パネル本体に取付けられているＬＥＤあるいはＲＢＧ−ＬＥＤの中央照明装置や両側部寄りの照明灯のコードは外壁化粧パネル本体の両側部より外方へ突出しているため、容易に接続することができる。
したがって、従来の外壁化粧パネルの取付け以外に、外壁化粧パネル本体の両側部より突出しているコードの接続だけで照明灯の取付けが完了し、低コストで外壁化粧パネルを照明することができる。
【００１０】
（２）前記（１）によって、外壁化粧パネル本体の中空室に貫通するように中央、両側部寄りの照明灯が取付けられているので、中央、両側部寄りの照明灯のＬＥＤあるいはＲＢＧ−ＬＥＤやコードを外壁化粧パネルより突出することなく設置できる。
したがって、美観を向上させることができる。
【００１１】
（３）前記（１）によって、外壁化粧パネル本体の中空室の貫通方向に照明灯を直列接続することができるため、横方向、縦方向に点灯させることができる。
【００１２】
（４）前記（１）によって、中央照明灯のコードを両側部寄りの照明灯の一方側のコードの先端部と接続すればよいので、他の外壁化粧パネルとの電気接続は両側部寄りの照明灯の他方側のコードと接続するだけでよく、容易に接続することができる。
【００１３】
（５）請求項２も前記（１）〜（４）と同様な効果が得られる。
【発明を実施するための最良の形態】
【００１４】
以下、図面に示す本発明を実施するための最良の形態により、本発明を詳細に説明する。
【００１５】
図１ないし図９に示す本発明を実施するための最良の第１の形態において、１は本発明の外壁化粧パネルで、この外壁化粧パネル１は昭和電工建材株式会社の商品でラムダを使用するが、上下部に係合片２、シール剤３が取付けられた接続される係合片２と係合する係合片４が形成され、内部に貫通する複数個の中空室５が並列された、例えば働き幅が６００ｍｍ、長さが１７９０ｍｍ、厚さが２６mmの外壁化粧パネル本体６と、この外壁化粧パネル本体６の中央部および両側部寄りの部位である側部より２９５ｍｍ、８９５ｍｍで上下部より１５０ｍｍ部位で前記中空室５、５に貫通するように形成された２列の中央、両側部寄りの照明灯収納凹部７、７、８、８、８、８と、この中央照明灯収納凹部７、７に防水可能に取付けられたコード９、９の両端部が中空室５、５を通過して、前記外壁化粧パネル本体６の両側部よりそれぞれ突出するＬＥＤあるいはＲＢＧ−ＬＥＤを用いた２個の中央照明灯１０、１０と、前記両側部寄りの照明灯収納凹部８、８、８、８に防水可能に取付けられたコード１１、１２、１１、１２、１１、１２、１１、１２の両端部が中空室５、５を貫通してそれぞれ前記外壁化粧パネル本体６の両側部より突出するＬＥＤあるいはＲＢＧ−ＬＥＤを用いた４個の両側部寄りの照明灯１３、１３、１３、１３と、この４個の両側部寄りの照明灯１３、１３、１３、１３の一方側の４個のコード１１、１１、１１、１１の先端部と前記中央照明灯１０、１０の両端部の４個のコード９、９、９、９とをハンダ付けと絶縁処理により固定接続し、両側部寄りの照明灯１３、１３、１３、１３の他方側の４個のコード１２、１２、１２、１２の先端部に接続された一方側に２個のオスコネクタ１４、１４および他方側に２個のメスコネクタ１５、１５とで構成されている。
【００１６】
前記中央照明灯１０、１０は図６に示すように、中央照明灯収納凹部７へ固定できる外周フランジ部１６の背面に接着剤１７が固定されたステンレスカップ１８と、このステンレスカップ１８の内底面に固定されたＬＥＤあるいはＲＢＧ−ＬＥＤ１９が設けられた基板２０と、前記基板２０より突出され、中空室５を通過して両端部が外壁化粧パネル本体６の両側部より突出する約１０００ｍｍのコード９、９と、前記ステンレスカップ１８の開口部２１を覆う接着剤２２で防水加工されたＯリング２３を介装したガラス板２４とで構成されている。
【００１７】
前記両側部寄りの照明灯１３、１３、１３、１３は前記中央照明灯１０のステンレスカップ１８、ＬＥＤあるいはＲＢＧ−ＬＥＤ１９を設けた基板２０、Ｏリング２３を介装したガラス板２４は同じものを使用するが、基板２０より突出するコード１１、１２は、ハンダ付けするコード１１は約４００ｍｍ、オスあるいはメスコネクタ１４、１５が接続されるコード１２は約５００ｍｍに設定されたものが使用されている。
【００１８】
上記構成の外壁化粧パネル１は図７および図８に示すように、従来と同様に建物２５の外部躯体２６に上下左右方向に係合片２、４を係合させながら胴縁や止金具を用いて並列させて取付けられる。
この時、外壁化粧パネル本体６の目地部となる両側部背面にはオスコネクタ１４、１４とメスコネクタ１５、１５を位置させて、オスコネクタ１４とメスコネクタ１５を接続することにより、横あるいは縦方向の接続が完了する。
次に横あるいは縦方向に接続された複数個のコード１１、１２を商用電源２７に接続された制御回路２８へ接続することにより、外壁化粧パネル１を６個のＬＥＤあるいはＲＢＧ−ＬＥＤ１９を用いた中央照明灯１０、１０、両側部寄りの照明灯１３、１３、１３、１３が点灯できる。
なお、制御回路２８はＬＥＤの点灯、消灯は勿論であるが、ＲＢＧ−ＬＥＤのうち、どれを点灯、消灯させるか、あるいはどれとどれとをどの割合で点灯させるのかを制御できるものである。
[発明を実施するための異なる形態]
【００１９】
次に、図１０ないし図１５に示す本発明を実施するための異なる形態につき説明する。なお、この本発明を実施するための異なる形態の説明に当って、前記本発明を実施するための最良の第１の形態と同一構成部分には同一符号を付して重複する説明を省略する。
【００２０】
図１０ないし図１５に示す本発明を実施するための第２の形態において、前記本発明を実施するための最良の第１の形態と主に異なる点は、例えば働き幅が３００ｍｍ、長さが１７９０ｍｍ、厚さが１６ｍｍの外壁化粧パネル本体６Ａと、この外壁化粧パネル本体６Ａの中央部と両側部寄りの中央部に中央照明灯収納凹部７、中央照明灯１０、両側部寄りの照明灯収納凹部８、８および両側部寄りの照明灯１３、１３を備えた点で、このように構成した外壁化粧パネル１Ａにしても前記本発明を実施するための最良の第１の形態と同様な作用効果が得られる。
【００２１】
なお、前記本発明を実施する各形態では昭和電工建材が製造販売しているラムラ（商品名）を外壁化粧パネル本体について使用するものについて説明したが、本発明はこれに限らず、内部に貫通する中空室が少なくとも１個以上形成された外壁化粧パネル本体であれば、どこの会社が製造、販売している外壁化粧パネル本体であっても、同様に使用することができる。
また、働き幅、長さ、厚さは使用目的によって任意に設定される。
【産業上の利用可能性】
【００２２】
本発明は外壁化粧パネルを製造する産業で利用される。
【図面の簡単な説明】
【００２３】
【図１】本発明を実施するための最良の第１の形態の正面図。
【図２】本発明を実施するための最良の第１の形態の平面図。
【図３】本発明を実施するための最良の第１の形態の拡大側面図。
【図４】本発明を実施するための最良の第１の形態の底面図。
【図５】図1の５−５線に沿う断面図。
【図６】図1の６−６線に沿う拡大断面図。
【図７】本発明を実施するための最良の第１の形態の使用状態の説明図。
【図８】図7のＡ部拡大説明図。
【図９】本発明を実施するための最良の第１の形態の概略回路図。
【図１０】本発明を実施するための第2の形態の正面図。
【図１１】本発明を実施するための第2の形態の平面図。
【図１２】本発明を実施するための第2の形態の拡大側面図。
【図１３】本発明を実施するための第2の形態の底面図。
【図１４】本発明を実施するための第2の形態の使用状態の説明図。
【図１５】図１４のＢ部拡大説明図。
【符号の説明】
【００２４】
１、１Ａ：外壁化粧パネル、    ２：係合片、
３：シール剤、                ４：係合片、
５：中空室、                  ６、６Ａ：外壁化粧パネル本体、
７：中央照明灯収納凹部、                        
８：両側部寄りの照明灯収納凹部、
９：コード、                  １０：中央照明灯、
１１、１２：コード、          １３：両側部寄りの照明灯、
１４：オスコネクタ、          １５：メスコネクタ、
１６：外周フランジ部、        １７：接着剤、
１８：ステンレスカップ、
１９：ＬＥＤあるいはＲＢＧ−ＬＥＤ
２０：基板、                  ２１：開口部、
２２：接着剤、                ２３：Ｏリング、
２４：ガラス板、              ２５：建物、
２６：外部躯体、              ２７：商用電源、
２８：制御回路。
【図１】
2008163567.tif 000003
【図２】
2008163567.tif 000004
【図３】
2008163567.tif 000005
【図４】
2008163567.tif 000006
【図５】
2008163567.tif 000007
【図６】
2008163567.tif 000008
【図７】
2008163567.tif 000009
【図８】
2008163567.tif 000010
【図９】
2008163567.tif 000011
【図１０】
2008163567.tif 000012
【図１１】
2008163567.tif 000013
【図１２】
2008163567.tif 000014
【図１３】
2008163567.tif 000015
【図１４】
2008163567.tif 000016
【図１５】
2008163567.tif 000017